(57)【特許請求の範囲】
【請求項１】
ベースと、
前記ベース上に配置されたレンズと、
前記ベース及び前記レンズの上方に配置された前面カバーと、
前記ベース上で旋回し、第１ガイド部を有する少なくとも１つの遮光板と、
前記前面カバー上に固定されたガスケットとを具え、
前記ベースと前記前面カバーとは相対的に回転することができ、
前記遮光板は前記ガスケットと前記ベースとの間に配置され、前記ガスケットは、前記レンズに対応する通し穴、及び前記第１ガイド部に結合された第２ガイド部を有し、前記第１ガイド部は摺動ピンであり、前記第２ガイド部は摺動スロットであり、前記遮光板と前記ガスケットは、前記第１ガイド部と前記第２ガイド部により直接結合され、前記遮光板は、前記ガスケットによって直接案内され、前記ガスケットと前記ベースとの間で限定的に、当該ガスケット及び当該ベースに対して振れ動き、前記ベースと前記前面カバーとが相対的に回転すると、前記第１ガイド部が前記第２ガイド部によって案内され、これにより前記遮光板が限定的に振れ動いて、選択的に、前記通し穴まで移動して前記レンズを覆うことができ、あるいは、前記通し穴から離れるように移動して前記レンズを露出させることができる、レンズモジュール。
【請求項２】
前記ベースが複数の第３ガイド部を有し、前記前面カバーが、前記第３ガイド部に結合された複数の第４ガイド部を有し、前記複数の第４ガイド部は前記レンズの周囲に、前記レンズを包囲するように配置されている、請求項１に記載のレンズモジュール。
【請求項３】
前記第３ガイド部は摺動ブロックであり、前記第４ガイド部は摺動スロットであり、前記摺動ブロックと前記摺動スロットは直接結合され、前記ベースと前記前面カバーとが相対的に回転する際に、前記摺動ブロックが前記摺動スロット内で摺動する、請求項２に記載のレンズモジュール。
【請求項４】
前記遮光板の数が２であり、前記遮光板の各々が接続側端を有し、前記ベースと前記前面カバーとが相対的に回転すると、２つの前記遮光板が、前記ガスケットと前記ベースとの間で限定的に、当該ガスケット及び当該ベースに対して振れ動いて、２つの前記接続側端が互いに接触した後に、前記２つの遮光板が前記レンズを覆う、請求項１に記載のレンズモジュール。
【請求項５】
前記２つの遮光板の面積の総和が、前記通し穴の断面積よりも大きい、請求項４に記載のレンズモジュール。
【請求項６】
前記ベースが、前記ガスケットを支持するように構成された少なくとも１つの支持部を有し、これにより前記ガスケット及び前記ベースが、前記遮光板を収容する空間を規定する、請求項１に記載のレンズモジュール。
【請求項７】
前記支持部が、前記遮光板の移動経路外に配置されている、請求項６に記載のレンズモジュール。
【請求項８】
前記ガスケットが少なくとも１つの係止スロットをさらに有し、前記前面カバーが少なくとも１つの係止突起をさらに有し、前記係止突起が前記係止スロットと係合する、請求項１に記載のレンズモジュール。
【請求項９】
前記ベースと前記前面カバーとが第１軸の周りに相対的に回転し、前記遮光板が、前記ガスケットと前記ベースとの間で限定的に、当該ガスケット及び当該ベースに対して第２軸の周りに振れ動き、前記第１軸と前記第２軸とは互いに平行であるが同軸でない、請求項１に記載のレンズモジュール。
【発明の詳細な説明】
【技術分野】
【０００１】
関連出願のクロスリファレンス
本願は、中国特許出願第２０１６１０３５２０９５．２号、２０１６年５月２５日出願に基づいて優先権を主張する。上記特許出願の全文は、参照することにより本明細書に含め、本明細書の一部を構成する。
【０００２】
発明の背景
発明の分野
本発明はレンズモジュールに関するものであり、特に、手動制御の遮光板を有するレンズモジュールに関するものである。
【背景技術】
【０００３】
関連技術の説明
レンズモジュールは、携帯電話、ノート型コンピュータ、タブレット・コンピュータ、カメラ、あるいはモニタにおいて、画像を捕捉しビデオを記録するために一般に用いられている。レンズモジュールは、随意的に遮光板を有して、画像を捕捉しビデオを記録する必要がない際に、この遮光板によりレンズを覆うことができる。現在の技術では、リンク機構は大半がモータによって駆動され、続いてリンク機構に接続された遮光板が作動して、レンズを覆い、または露出させる。近年、レンズモジュールの一部はネットワーク接続機能を備え、これによりユーザはレンズモジュールをネットワーク経由で遠隔的に制御して、例えば遮光板を移動（または回転）させること、あるいは画像を捕捉しビデオを記録することができる。この機能はユーザが操作する利便性を向上させるが、情報セキュリティの問題も生じさせる。悪意を持つ者がネットワーク経由でレンズモジュールに侵入した場合に、レンズモジュールを遠隔的に制御して私的な画像を入手することがより容易になる。
【発明の概要】
【発明が解決しようとする課題】
【０００４】
発明の概要
本発明は、手動制御の方法によって遮光板を移動させてレンズを露出させること、またはレンズを覆うことができるレンズモジュールを提供する。
【課題を解決するための手段】
【０００５】
本発明は、ベース、レンズ、前面カバー、及び少なくとも１つの遮光板及びガスケットを含むレンズモジュールを提供する。レンズはベース上に配置されている。前面カバーはベース及びレンズの上方に配置され、ベースと前面カバーとは相対的に回転することができる。遮光板はベース上で旋回し、第１ガイド部を有する。ガスケットは前面カバー上に固定され、遮光板はガスケットとベースとの間に配置されている。ガスケットは、レンズに対応する通し穴（スルーホール）、及び第１ガイド部に結合された第２ガイド部を有する。遮光板は、ガスケットとベースとの間で限定的に、これらに対して振れ動き、ベースと前面カバーとが相対的に回転すると、第１ガイド部は第２ガイド部によって案内され、これにより遮光板は限定的に振れ動いて、選択的に、通し穴まで移動してレンズを覆うことができ、あるいは、通し穴から離れるように移動してレンズを露出させることができる。
【０００６】
本発明の一好適例では、ベースが少なくとも１つの第３ガイド部を有する。前面カバーは、第３ガイド部に結合された少なくとも１つの第４ガイド部を有し、第４ガイド部はレンズの周囲に配置されている。
【０００７】
本発明の一好適例では、第３ガイド部が摺動（スライディング）ブロックであり、第４ブロックが摺動スロットである。
【０００８】
本発明の一好適例では、第１ガイド部が摺動ピンであり、第２ガイド部が摺動スロットである。
【０００９】
本発明の一好適例では、遮光板の数が２である。遮光板の各々は接続側端を有する。ベースと前面カバーとが相対的に回転すると、２枚の遮光板は、ガスケットとベースとの間で限定的に、これらに対して振れ動き、２つの接続側端が互いに接触すると、２枚の遮光板がレンズを覆う。
【００１０】
本発明の一好適例では、２枚の遮光板の面積の総和が通し穴の断面積よりも大きい。
【００１１】
本発明の一好適例では、ベースが、ガスケットを支持するように構成された少なくとも１つの支持部を有し、これによりガスケット及びベースが遮光板を収容する空間を規定する。
【００１２】
本発明の一好適例では、支持部が遮光板の移動経路外に配置されている。
【００１３】
本発明の一好適例では、ガスケットが少なくとも１つの係止（ロッキング）スロットをさらに有し、前面カバーが少なくとも１つの係止突起をさらに有し、係止突起が係止スロットと係合する。
【００１４】
本発明の一好適例では、ベースと前面カバーとが第１軸の周りに相対的に回転し、遮光板は、ガスケットとベースとの間で限定的に、これらに対して第２軸の周りに振れ動き、第１軸と第２軸とは互いに平行であるが同軸ではない。
【００１５】
以上に基づいて、本発明のレンズモジュールのベースと前面カバーとは、手動の方法によって相対的に回転して、それと同時に遮光板を駆動して、ガスケットとベースとの間で限定的に、これらに対して振れ動かすことができ、これにより遮光板は限定的に振れ動いて、選択的に、ガスケットの通し穴まで移動してレンズを覆うことができ、あるいは、ガスケットの通し穴から離れるように移動してレンズを露出させることができる。従って、レンズモジュールがネットワーク接続機能を備えていても、ユーザが遮光板にレンズを覆わせる限り、悪意ある者がネットワーク経由で遠隔的にレンズモジュールに侵入した後に、遮光板を移動させてレンズを露出させて私的な画像を入手することができない。
【００１６】
本発明の上述した特徴及び利点、及び他の特徴及び利点をより分かり易くするために、図面を添付した実施形態を以下に詳細に説明する。
【図面の簡単な説明】
【００１７】
【図１Ａ】本発明の一実施形態の概略図である。
【図１Ｂ】図１Ａ中の領域ａの部分拡大図である。
【図２】図１のレンズモジュールの分解図である。
【図３Ａ】図１Ａにおいてレンズを覆う遮光板の概略図である。
【図３Ｂ】図３Ａ中の領域ｂの部分拡大図である。
【図４Ａ】本発明の他の実施形態における、開状態のレンズモジュールの概略図である。
【図４Ｂ】本発明の他の実施形態における、閉状態のレンズモジュールの概略図である。
【図４Ｃ】図４Ｂ中の領域ｃの部分拡大図である。
【図５Ａ】本発明のさらに他の実施形態における、開状態のレンズモジュールの概略図である。
【図５Ｂ】本発明のさらに他の実施形態における、閉状態のレンズモジュールの概略図である。
【図５Ｃ】図５Ｂ中の領域ｄの部分拡大図である。
【発明を実施するための形態】
【００１８】
実施形態の説明
図１Ａは、本発明の一実施形態のレンズモジュールの概略図である。図１Ｂは、図１Ａ中の領域ａの部分拡大図である。図２は、図１のレンズモジュールの分解図である。図３Ａは、図１Ａにおいてレンズを覆う遮光板の概略図である。図３Ｂは、図３Ａの領域ｂの部分拡大図である。説明を明瞭にし容易にするために、図１Ａ、図１Ｂ、図３Ａ、及び図３Ｂでは、ガスケット１５０を点線で表す。図１Ａ、図１Ｂ、及び図２を参照すれば、本実施形態では、レンズモジュール１００は、モニタ、携帯電話、ノート型コンピュータ、タブレット・コンピュータ、カメラ、または他の電子機器に応用可能である。例えば、レンズモジュール１００は制御部（図示せず）に電気結合することができ、制御部（図示せず）は無線（または有線）送信部（図示せず）に電気結合することができる。従って、ユーザは信号を無線（または有線）送信部（図示せず）に遠隔的に送信することができ、無線（または有線）送信部（図示せず）は、受信した信号を制御部（図示せず）へ送信する。この時、制御部（図示せず）は、レンズモジュール１００を制御して、この信号に応じて画像を捕捉しビデオを記録する。他の実施形態では、レンズモジュールを本体（図示せず）と組み合わせることができ、対応する物理的または仮想的なボタンが本体（図示せず）上に設けられ、ユーザは物理的または仮想的なボタンを押すかこれらのボタンに触れて、レンズモジュールを制御して画像を捕捉しビデオを記録することができる。本発明は、レンズモジュールを制御して画像を捕捉しビデオを記録する方法に限定されない。
【００１９】
レンズモジュール１００は、ベース１１０、レンズ１２０、前面カバー１３０、２枚の遮光板１４０、及びガスケット１５０を含む。レンズ１２０はベース１１０上に配置されている。本実施形態では、レンズ１２０をベース１１０内に埋め込むことができ、ベース１１０は窓領域１１１を有し、窓領域１１１はレンズ１２０の少なくとも一部分を露出させる。前面カバー１３０は、ベース１１０及びレンズ１２０の上方に配置され、溝穴１３１を有する。ベース１１０及びレンズ１２０は溝穴１３１内に配置され、窓領域１１１は溝穴１３１の所に露出する。ベース１１０と前面カバー１３０とは、第１軸Ａ１の周りに相対的に回転することができる。
【００２０】
遮光板１４０の各々は第１ガイド部１４１を有する。ガスケット１５０は前面カバー１３０上に固定され、２枚の遮光板１４０がガスケット１５０とベース１１０と間に配置されている。２枚の遮光板１４０のそれぞれは、ベース１１０上で旋回し、ガスケット１５０とベース１１０との間で限定的に、これらに対して、それぞれ第２軸Ａ２１及びＡ２２の周りに振れ動くことができる。第２軸Ａ２１とＡ２２とは互いに平行であるが同軸ではない。第２軸Ａ２１及びＡ２２のそれぞれは、第１軸Ａ１と平行であるが同軸ではない。換言すれば、２枚の遮光板１４０はベース１１０上に偏心して配置されている。ガスケット１５０は、通し穴１５１及び第２ガイド部１５２を有し、通し穴１５１は窓領域１１１内のレンズ１２０に対応し、第１ガイド部１４１の各々は、対応する第２ガイド部１５２に結合されている。本実施形態では、第１ガイド部１４１を摺動ピンとすることができ、第２ガイド部１５２を摺動スロットとすることができ、これらの摺動ピンはそれぞれの摺動スロット内に摺動可能に配置されている。他の実施形態では、第１ガイド部を摺動スロットとすることができ、第２ガイド部を、摺動スロット内に摺動可能に配置された摺動ピンとすることができる。さらに、ガスケット１５０は少なくとも１つの係止スロット１５３をさらに有し、前面カバー１３０は、溝穴１３１の内側から突出する少なくとも１つの係止突起１３３をさらに有し、係止突起１３３は係止スロット１５３と係合して、ガスケット１５０を前面カバー１３０に固定することができる。
【００２１】
ユーザが手動でベース１１０と前面カバー１３０とを相対的に回転させると、第１ガイド部１４１は第２ガイド部１５２によって案内されて、２枚の遮光板１４０を異なる振れ方向に限定的に振れ動かし、２枚の遮光板１４０は、ガスケット１５０とベース１１０との間で限定的に、これらに対して振れ動き、これにより２枚の遮光板１４０は通し穴１５１まで移動して、図３Ａ及び図３Ｂに示すようにレンズ１２０を覆う。一方、第１ガイド部１４１が第２ガイド部１５２によって案内されて、２枚の遮光板１４０を上記の振れ方向とは逆方向に限定的に振れ動かすと、２枚の遮光板１４０は、ガスケット１５０とベース１１０との間で限定的に、これらに対して振れ動き、これにより２枚の遮光板は通し穴１５１から離れるように移動して、図１Ａに示すようにレンズ１２０を露出させる。同様に、遮光板１４０が通し穴１５１まで移動してレンズ１２０を覆う前には、遮光板１４０は陰に隠れてガスケット１５０の直下に落ち着く。遮光板１４０は旋回軸端及び可動端を有するので、ベース１１０と前面カバー１３０との相対回転、及び第２ガイド部１５２による第１ガイド部１４１の案内によって、遮光板１４０が限定的に振れ動く。
【００２２】
遮光板１４０を自動制御して移動させることができない状況下では、レンズモジュール１００がネットワーク接続機能を備えていても、ユーザが遮光板１４０にレンズ１２０を覆わせる限り、悪意ある者がネットワーク経由でレンズモジュール１００に侵入した後に、遮光板１４０を移動させてレンズ１２０を露出させて私的な画像を入手することはできない。
【００２３】
より具体的には、遮光板１４０の各々が接続側端１４２を有し、２枚の遮光板１４０が通し穴１５１まで移動して２つの接続側端１４２が互いに接触した後に、レンズ１２０は２枚の遮光板１４０によって覆われる。一方、２枚の遮光板１４０の面積の総和が通し穴１５１の断面積よりも大きく、２つの接続側端１４２が互いに接触した後に、２枚の遮光板１４０が通し穴１５１とレンズ１２０との間を完全に遮断することを保証する。一方、ベース１１０は、少なくとも１つの第３ガイド部１１２（図式的に４つとして示す）を有し、前面カバー１３０は、第３ガイド部１１２に結合された少なくとも４つのガイド部１３２（図式的に４つとして示す）を有する。本実施形態では、４つの第３ガイド部１１２及び４つの第４ガイド部１３２を例示しているが、他の実施形態では、第３ガイド部及び第４ガイド部の数を要求に応じて増減させることができる。図１Ａに示すように、４つのガイド部１３２はレンズ１２０（または溝穴１３１）の周辺を包囲し、第３ガイド部１１２は摺動ブロックであり、第４ガイド部１３２は摺動スロットであり、これらの摺動ブロックは、それぞれの摺動スロット内に摺動可能に配置されている。摺動スロットの長さを用いて、ベース１１０と前面カバー１３０との相対回転のストローク（行程）を決定することができる。他の実施形態では、第３ガイド部を摺動スロットとすることができ、第４ガイド部を、摺動スロット内に摺動可能に配置された摺動ブロックとすることができる。
【００２４】
図１Ａ及び図３Ａを参照すれば、ベース１１０は、窓領域１１１外に配置されてガスケット１５０を支持するように構成された少なくとも１つの支持部１１３（図式的に２つとして示す）を有し、これによりガスケット１５０及びベース１１０は２枚の遮光板１４０を収容する空間を規定する。本実施形態では、２つの支持部１１３を例示しているが、他の実施形態では、支持部の数を要求に応じて増減することができる。一方、遮光板１４０の各々をベース１１０に対して回転させる過程では、遮光板１４０の各々がガスケット１５０の直下から通し穴１５１まで移動し、あるいは通し穴１５１からガスケット１５０の直下へ戻るように移動し、支持部１１３は、遮光板１４０の各々の移動経路外に配置されて構造的干渉を回避する。
【００２５】
なお、本実施形態では、レンズ１２０を覆うように作動する２枚の遮光板１４０を紹介しているが、他の実施形態では、遮光板の数を要求に応じて増減することができる。一方、ベースと前面カバーとの相対的な回転によって遮光板を駆動して通し穴まで移動させてレンズを覆い、あるいは通し穴から離れるように移動させてレンズを露出させるという設計原理によって、ガスケットをベースに固定し、遮光板を前面カバーに対して旋回させることができる。
【００２６】
他の実施形態を以下に説明する。なお、以下の実施形態は、上述した実施形態からの構成要素のラベル及び部分的内容を利用し、同一または同様な要素には同一のレベルを付け、従って、同様な技術内容の説明は省略する。省略した部分の説明に関しては、前の実施形態を参照することができ、以下の実施形態では繰り返さない。
【００２７】
図４Ａ及び４Ｂは、本発明の他の実施形態における、開状態及び閉状態のレンズモジュールの概略図である。図４Ｃは、図４Ｂ中の領域ｃの部分拡大図である。説明を明瞭にし容易にするために、図４Ａ〜図４Ｃでは、ガスケット１５０を点線で表す。図４Ａ〜４Ｃを参照すれば、本実施形態のレンズモジュール１００Ａは、上述した実施形態のレンズモジュール１００と同様であり、その差異は、レンズモジュール１００Ａの遮光板１４０Ａは４枚であり、遮光板１４０Ａは、ベース１１０に対して、それぞれ第２軸Ａ２１〜Ａ２４の周りに回転する点にある。ユーザが手動でベース１１０と前面カバー１３０とを相対的に回転させると、第１ガイド部１４１が第２ガイド部１５２によって案内されて、４枚の遮光板１４０ａを異なる振れ方向に限定的に振れ動かし、４枚の遮光板１４０ａはガスケット１５０とベース１１０との間で限定的に、これらに対して振れ動き、これにより４枚の遮光板１４０ａは通し穴１５１まで移動して、図４Ｂ及び図４Ｃに示すようにレンズ１２０を覆う。一方、第１ガイド部１４１が第２ガイド部１５２によって案内されて、４枚の遮光板１４０ａを上記の振れ方向とは逆方向に限定的に振れ動かすと、４枚の遮光板１４０ａはガスケット１５０とベース１１０との間で限定的に、これらに対して振れ動き、これにより４枚の遮光板１４０ａは通し穴１５１から離れるように移動して、図４Ａに示すようにレンズ１２０を露出させる。同様に、遮光板１４０ａが通し穴１５１まで移動してレンズ１２０を覆う前には、遮光板１４０ａは陰に隠れてガスケット１５０の直下に落ち着く。
【００２８】
より具体的には、遮光板１４０ａの各々が接続側端１４３及び１４４を有し、４枚の遮光板１４０ａが通し穴１５１まで移動して、あらゆる遮光板１４０ａの接続側端１４３及び１４４が、それぞれに隣接する他の２枚の遮光板１４０ａの接続側端１４３及び１４４と接触した後に、レンズ１２０は４枚の遮光板１４０ａによって覆われる。一方、４枚の遮光板１４０ａの面積の総和は通し穴１５１の断面積よりも大きく、あらゆる遮光板１４０ａの接続側端１４３及び１４４が、それぞれに隣接する他の２枚の遮光板１４０ａの接続側端と接触した後に、４枚の遮光板１４０ａが通し穴１５１とレンズ１２０との間を完全に遮断することを保証する。
【００２９】
図５Ａ及び５Ｂは、本発明のさらに他の実施形態における、開状態及び閉状態のレンズモジュールの概略図である。図５Ｃは、図５Ｂ中の領域ｄの部分拡大図である。説明を明瞭にし容易にするために、図５Ａ〜図５Ｃではガスケット１５０を点線で表す。図５Ａ〜５Ｃを参照すれば、本実施形態のレンズモジュール１００Ｂは上述した実施形態のレンズのジュール１００と同様であり、その差異は、レンズモジュール１００Ｂの遮光板１４０ｂは１枚であり、遮光板１４０ｂは、ガスケット１５０とベース１１０との間で限定的に、これらに対して第２軸Ａ２１の周りに振れ動くように構成されている点にある。ユーザが手動でベース１１０と前面カバー１３０とを相対的に回転させると、第１ガイド部１４１が第２ガイド部１５２によって案内されて、遮光板１４０ｂを振れ方向に限定的に振れ動かし、遮光板１４０ｂは、ガスケット１５０とベース１１０との間で限定的に、これらに対して振れ動き、これにより遮光板１４０ｂは通し穴１５１まで移動して、図５Ｂ及び図５Ｃに示すようにレンズ１２０を覆う。一方、第１ガイド部１４１が第２ガイド部１５２によって案内されて、遮光板１４０ｂを上記の振れ方向とは逆方向に限定的に振れ動かすと、遮光板１４０ｂは、ガスケット１５０とベース１１０との間で限定的に、これらに対して振れ動き、これにより遮光板１４０ｂは通し穴１５１から離れるように移動して、図５Ａに示すようにレンズ１２０を露出させる。同様に、遮光板１４０ｂが通し穴１５１まで移動してレンズ１２０を覆う前には、遮光板１４０ｂは陰に隠れてガスケット１５０の直下に落ち着く。より具体的には、遮光板１４０ｂの面積は通し穴１５１の断面積よりも大きく、遮光板１４０ｂが通し穴１５１まで移動した後に、遮光板１４０ｂが通し穴１５１とレンズ１２０との間を完全に遮断することを保証する。
【００３０】
要約すれば、本発明のレンズモジュールのベースと前面カバーとを、手動の方法によって相対的に回転させて、それと同時に遮光板の第１ガイド部が第２ガイド部からの案内を受けて、遮光板をガスケットとベースとの間で限定的に、これらに対して振れ動かすことができ、これにより遮光板は限定的に振れ動いて、選択的に、通し穴まで移動してレンズを覆うことができ、あるいは、通し穴から離れるように移動してレンズを露出させることができる。従って、レンズモジュールがネットワーク接続機能を備えていても、ユーザが遮光板にレンズを覆わせる限り、悪意を有する者がネットワーク経由で遠隔的にレンズモジュールに侵入した後に、遮光板を移動させてレンズを露出させて私的な画像を入手することはできない。
【００３１】
本発明及びその利点を詳細に説明してきたが、添付した特許請求の範囲に規定する本発明の精神及び範囲から逸脱することなしに、本発明及びその利点において、種々の変更、代替、及び変形を行うことができることは明らかである。即ち、本発明中に含まれる説明は、基本的な説明として役立つことを意図している。具体的説明は、可能なすべての実施形態を必ずしも明示的に記述しておらず、多数の代案が暗示されていることは明らかである。本発明の包括的性質は必ずしも十分に説明されておらず、各特徴または要素が、より広い機能、あるいは多種多様な代替または等価な要素の代表となることができる方法は、必ずしも明示的に示していない。ここでも、これらは本開示中に暗示的に含まれる。本明細書の記載も用語も、特許請求の範囲を限定することは意図していない。
【図１Ａ】
0006673865.tif 000002
【図１Ｂ】
0006673865.tif 000003
【図２】
0006673865.tif 000004
【図３Ａ】
0006673865.tif 000005
【図３Ｂ】
0006673865.tif 000006
【図４Ａ】
0006673865.tif 000007
【図４Ｂ】
0006673865.tif 000008
【図４Ｃ】
0006673865.tif 000009
【図５Ａ】
0006673865.tif 000010
【図５Ｂ】
0006673865.tif 000011
【図５Ｃ】
0006673865.tif 000012